【誤訳訂正書】
【提出日】平成23年2月9日(2011.2.9)
【誤訳訂正１】
【訂正対象書類名】明細書
【訂正対象項目名】特許請求の範囲
【訂正方法】変更
【訂正の内容】
【特許請求の範囲】
【請求項１】
架橋可能な組成物を多孔質材料内へと制御可能に含浸させるための方法であって、前記方法は、
ａ）内面と外面とによって規定された壁を有した多孔質材料を準備し；
ｂ）前記内面または前記外面の一方に隣接または接触させて架橋可能組成物を配置し；
ｃ）非反応性ガス、真空またはこれらの組合せからなる群より選択される圧力手段によって、前記内面と前記外面との間に圧力差を発生させ、ここで、前記架橋可能組成物に隣接または接触した面上における圧力が、前記架橋可能組成物に接触していない面上の圧力よりも大きく、前記圧力差によって、前記多孔質材料内へと前記架橋可能組成物を制御可能に含浸させ；
ｄ）前記多孔質材料内において前記架橋可能組成物を架橋させ；
ｅ）前記多孔質材料を、マンドレルの周囲において同心的にかつ前記マンドレルから離間させ、前記架橋可能組成物を受領するためのキャビティを、前記多孔質材料と前記マンドレルとの間に規定し、前記マンドレルは、前記非反応性ガス、前記真空または前記これらの組合せを連通させるための１つまたは複数の開口を備え；
ｆ）前記制御された含浸を、圧力チャンバ内において行う；
ことを含み、
ここで、前記架橋可能組成物は、生体分解吸収可能ポリマー組成物である、方法。
【請求項２】
請求項１記載の方法において、
前記圧力差が、０．６９ｋＰａ〜６９．０ｋＰａである、方法。
【請求項３】
請求項１記載の方法において、
前記非反応性ガスが、不活性ガスである、方法。
【請求項４】
請求項１記載の方法において、
前記多孔質材料が、ポリマー材料、非ポリマー材料、および、これらの組合せ、からなる群より選択される、方法。
【請求項５】
請求項１記載の方法において、
前記架橋可能組成物が、ニートな液体、エマルジョン、液体ポリマーもしくは液体コポリマー、または、固体相のポリマーもしくはコポリマーである、方法。
【請求項６】
請求項５記載の方法において、
前記コポリマーが、生体分解吸収可能領域と親水性領域と複数の架橋可能官能基とを１つのポリマーチェインあたりに有してなる水不溶性コポリマーである、方法。
【請求項７】
請求項６記載の方法において、
前記コポリマーが、以下の化学構造を有し、
【化１】
2003513158.tif 000001
ここで、Ｒは、ＣＨ３またはＨであり、Ｒ’は、ＣＨ３またはＨであり、ｘは、１０〜１００であり、ｙは、５０〜５００である、方法。
【請求項８】
請求項６記載の方法において、
前記コポリマーは、以下の化学構造を有し、
【化２】
2003513158.tif 000002
ここで、Ｒは、ＣＨ３またはＨであり、Ｒ’は、ＣＨ３またはＨであり、ＡとＢとの比率は、３：１であり、ｘは、１０〜１００であり、ｙは、５０〜３００である、方法。
【請求項９】
請求項１記載の方法において、
前記多孔質材料が、医療デバイスであり、
前記医療デバイスが、コンジット、血管グラフト、血管内グラフト、ステント、グラフト付きステント、カテーテル、ガイドワイヤ、トロカール、および、導入器シース、からなる群から選択される、方法。
【請求項１０】
請求項１記載の方法において、
前記架橋可能組成物が、１つまたは複数の生物学的治療剤をさらに含み、
前記生物学的治療剤が、抗血栓剤、抗生物質、抗癌剤、細胞周期制御剤、これらの同族化合物、派生物、フラグメント、薬学的塩、および、これらの組合せ、からなる群から選択される、方法。
【請求項１１】
請求項１記載の方法において、
前記架橋可能組成物が、１つまたは複数の細胞集団をさらに含む、方法。
【請求項１２】
組成物を多孔質材料内へと制御可能に含浸させるための方法であって、該方法は、
ａ）内面と外面とによって規定された壁を有した多孔質材料を準備し；
ｂ）前記内面または前記外面の一方に隣接または接触させて架橋可能第１組成物を配置し；
ｃ）前記内面と前記外面とのうちの、前記架橋可能第１組成物に隣接も接触もしていない他方に隣接または接触させて第２組成物を配置し；
ｄ）非反応性ガス、真空またはこれらの組合せによって、前記多孔質材料の前記壁の間に第１圧力差を発生させ、前記架橋可能第１組成物と前記第２組成物とのうちの一方を、前記多孔質材料内へと含浸させ；
ｅ）非反応性ガス、真空またはこれらの組合せによって、前記多孔質材料の前記壁の間に第２圧力差を発生させ、前記架橋可能第１組成物と前記第２組成物とのうちの他方を、前記多孔質材料内へと含浸させ；
ｆ）前記多孔質材料内において前記架橋可能第１組成物を架橋させ；
ｇ）前記多孔質材料を、マンドレルの周囲において同心的に離間させ、前記マンドレルは、前記非反応性ガス、前記真空またはこれらの組合せを受領するための１つまたは複数の開口を備え、ここで前記多孔質材料および前記マンドレルは、前記架橋可能第１組成物を配置し得るキャビティを規定し、ここで前記制御された含浸は、圧力チャンバ内で行われ、そして前記架橋可能組成物は、生体分解吸収可能ポリマー組成物であること
を含む、方法。
【請求項１３】
請求項１２記載の方法において、
前記第１圧力差および前記第２圧力差が、０．６９ｋＰａ〜６９．０ｋＰａである方法。
【請求項１４】
請求項１２記載の方法において、
前記架橋可能第１組成物と前記第２組成物とが、同一のものまたは相違するものである、方法。
【請求項１５】
請求項１２記載の方法において、
前記非反応性ガスが、不活性ガスである、方法。
【請求項１６】
請求項１２記載の方法において、
前記多孔質材料が、ポリマー材料、非ポリマー材料、および、これらの組合せ、からなる群から選択される、方法。
【請求項１７】
請求項１２記載の方法において、
前記多孔質材料が、コンジット、血管グラフト、血管内グラフト、ステント、グラフト付きステント、カテーテル、ガイドワイヤ、トロカール、導入器シース、および、手術用パッチ、からなる群から選択される医療デバイスである、方法。
【請求項１８】
請求項１２記載の方法において、
前記架橋可能組成物が、抗血栓剤、抗生物質、抗癌剤、細胞周期制御剤、これらの同族化合物、派生物、フラグメント、薬学的塩、および、これらの組合せ、からなる群から選択される１つまたは複数の生物学的治療剤をさらに含む、方法。
【請求項１９】
含浸された多孔質材料を備える埋設可能部材であって、前記含浸された多孔質材料は、
ａ）内面と外面とによって規定された壁を有した多孔質材料を準備し；
ｂ）前記内面または前記外面の一方に隣接または接触させて架橋可能組成物を配置し；
ｃ）非反応性ガス、真空またはこれらの組合せからなる群より選択される圧力手段によって、前記内面と前記外面との間に圧力差を発生させ、ここで、前記架橋可能組成物に隣接または接触した面上における圧力が、前記架橋可能組成物に接触していない面上の圧力よりも大きく、前記圧力差によって、前記多孔質材料へと前記架橋可能組成物を制御可能に含浸させ；
ｄ）前記多孔質材料内において前記架橋可能組成物を架橋させ；
ｇ）前記多孔質材料を、マンドレルの周囲において同心的に離間させて、前記マンドレルは、前記非反応性ガス、前記真空または前記これらの組合せを受領するための１つまたは複数の開口を備え、ここで前記多孔質材料および前記マンドレルは、前記架橋可能第１組成物を配置し得るキャビティを規定し、ここで前記制御された含浸は、圧力チャンバ内で行われ、そしてここで、前記架橋可能組成物は、生体分解吸収可能ポリマー組成物であること
を含む方法によって生成された、埋設可能部材。
【請求項２０】
請求項１９記載の埋設可能部材において、
前記圧力差が、０．６９ｋＰａ〜６９．０ｋＰａである、埋設可能部材。
【誤訳訂正２】
【訂正対象書類名】明細書
【訂正対象項目名】０００９
【訂正方法】変更
【訂正の内容】
【０００９】
【課題を解決するための手段】
本発明は、非反応性ガスまたは真空またはこれらの組合せのいずれかを利用することによって、架橋可能な組成物を、例えば延伸されたポリテトラフルオロエチレン（ｅＰＴＦＥ）材料から形成されたような多孔質材料のポア内へと制御可能に含浸させるための方法に関するものである。ガスまたは真空またはガスと真空の組合せは、多孔質材料のポア内への架橋可能組成物の含浸度合いの正確な制御と、多孔質材料の所望領域への架橋可能組成物の正確な配置制御と、を行うことができる。架橋可能組成物は、その後、その状況のままで架橋処理され、多孔質材料のポア内に固定される。架橋可能組成物は、湿潤環境下では、ヒドロゲルを形成することができる。本発明は、また、このような方法によって製造された、含浸処理済み埋設可能部材に関するものである。
【誤訳訂正３】
【訂正対象書類名】明細書
【訂正対象項目名】００１０
【訂正方法】変更
【訂正の内容】
【００１０】
本発明のある見地においては、ａ）内面と外面とによって規定された壁を有した多孔質材料を準備し；ｂ）内面および外面の一方に隣接させてまたは一方に接触させて架橋可能組成物を配置し；ｃ）非反応性ガスまたは真空またはこれらの組合せのいずれかを利用する圧力手段によって、内面と外面との間に圧力差を発生させ、この場合、内面と外面とのうちの、架橋可能組成物に隣接したまたは接触した方の面上における圧力が、架橋可能組成物に隣接も接触もしていない方の面上の圧力よりも大きくなるようにして、圧力差を発生させ、さらに、この圧力差によって、多孔質材料内へと架橋可能組成物を制御可能に含浸させ；ｄ）多孔質材料内において架橋可能組成物を架橋させる；という方法が提供される。
【誤訳訂正４】
【訂正対象書類名】明細書
【訂正対象項目名】００１１
【訂正方法】変更
【訂正の内容】
【００１１】
本発明による方法においては、非反応性ガスまたは真空またはこれらの組合せのいずれかを連通させ得る１つまたは複数の貫通穴を有したマンドレルを準備し、多孔質材料を、マンドレルの周囲において同心的にかつマンドレルから離間させて配置し、これにより、架橋可能組成物を受領するためのキャビティを、多孔質材料とマンドレルとの間に形成することができる。本発明による方法においては、さらに、制御しながらの含浸を、圧力チャンバ内において行うことができる。
【誤訳訂正５】
【訂正対象書類名】明細書
【訂正対象項目名】００１２
【訂正方法】変更
【訂正の内容】
【００１２】
本発明の他の見地においては、ａ）内面と外面とによって規定された壁を有した多孔質材料を準備し；ｂ）内面および外面の一方に隣接させてまたは一方に接触させて架橋可能第１組成物を配置し；ｃ）内面と外面とのうちの、架橋可能第１組成物に隣接したまたは接触した一方の面とは異なる他方の面に隣接させてまたは接触させて第２組成物を配置し；ｄ）非反応性ガスまたは真空またはこれらの組合せのいずれかを利用することによって、多孔質材料の内面と外面との間に第１圧力差を発生させ、これにより、架橋可能第１組成物と第２組成物とのうちの一方を、多孔質材料内へと含浸させ；ｅ）非反応性ガスまたは真空またはこれらの組合せのいずれかを利用することによって、多孔質材料の内面と外面との間に第２圧力差を発生させ、これにより、架橋可能第１組成物と第２組成物とのうちの他方を、多孔質材料内へと含浸させ；ｆ）多孔質材料内において架橋可能第１組成物を架橋させる；という方法が提供される。
【誤訳訂正６】
【訂正対象書類名】明細書
【訂正対象項目名】００１３
【訂正方法】変更
【訂正の内容】
【００１３】
本発明による方法においては、非反応性ガスまたは真空またはこれらの組合せのいずれかを受領するための１つまたは複数の開口を有したマンドレルを準備し、多孔質材料を、マンドレルの周囲において同心的にかつマンドレルから離間させて配置し、これにより、架橋可能第１組成物を受領するためのキャビティを、多孔質材料とマンドレルとの間に形成し、制御しながらの含浸を、圧力チャンバ内において行うことができる。
【誤訳訂正７】
【訂正対象書類名】明細書
【訂正対象項目名】００１４
【訂正方法】変更
【訂正の内容】
【００１４】
本発明は、さらに、例えば医療デバイスとされるような、含浸処理を受けた埋設可能部材に関するものである。本発明による含浸処理済み埋設可能部材は、ａ）内面と外面とによって規定された壁を有した多孔質材料を準備し；ｂ）内面および外面の一方に隣接させてまたは一方に接触させて架橋可能組成物を配置し；ｃ）非反応性ガスまたは真空またはこれらの組合せのいずれかを利用する圧力手段によって、内面と外面との間に圧力差を発生させ、この場合、内面と外面とのうちの、架橋可能組成物に隣接したまたは接触した方の面上における圧力が、架橋可能組成物に隣接も接触もしていない方の面上の圧力よりも大きくなるようにして、圧力差を発生させ、さらに、この圧力差によって、多孔質材料内へと架橋可能組成物を制御可能に含浸させ；ｄ）多孔質材料内において架橋可能組成物を架橋させる；という方法によって形成された多孔質材料を備えてなるものである。
【誤訳訂正８】
【訂正対象書類名】明細書
【訂正対象項目名】００１５
【訂正方法】変更
【訂正の内容】
【００１５】
含浸処理済み埋設可能部材のこの製造方法においては、非反応性ガスまたは真空またはこれらの組合せのいずれかを受領するための１つまたは複数の開口を有したマンドレルを準備し、多孔質材料を、マンドレルの周囲において同心的にかつマンドレルから離間させて配置し、これにより、多孔質材料とマンドレルとの間に、架橋可能組成物を受領し得るキャビティを形成することができる。
【誤訳訂正９】
【訂正対象書類名】明細書
【訂正対象項目名】００１６
【訂正方法】変更
【訂正の内容】
【００１６】
架橋可能組成物は、流動性を有したものとすることができ、ポリマーともコポリマーともすることができる。架橋可能組成物は、ニートな液体、または、エマルジョン、または、液体ポリマーまたは液体コポリマー、または、固体相をなすポリマーまたはコポリマー、とすることができる。望ましくは、架橋可能組成物は、コポリマーとされ、このコポリマーは、生体分解吸収可能領域と親水性領域と複数の架橋可能官能基とを１つのポリマーチェインあたりに有することができる。さらに、コポリマーは、２個のブロックからなるコポリマーや３個のブロックからなるコポリマーやスター型のコポリマーとすることができる。
【誤訳訂正１０】
【訂正対象書類名】明細書
【訂正対象項目名】００２０
【訂正方法】変更
【訂正の内容】
【００２０】
【発明の実施の形態】
図１〜図７に示すように、本発明は、架橋可能な組成物（１４）を、多孔質材料（６）の内面（２２）上においてまたは多孔質材料（６）の外面（２４）上においてまたは多孔質材料（６）の内面（２２）と外面（２４）との双方上において、多孔質材料（６）のポア内へと含浸させ得る方法に関するものである。本発明のある見地においては、架橋可能な組成物（１４）は、多孔質材料（６）の内面（２２）に対して導入され、多孔質材料（６）のポア内へと含浸される。そのような含浸は、限定するものではないが、非反応性ガスを使用して正圧をもたらすとか、真空吸引を使用して負圧をもたらすとか、あるいは、これらを組み合わせるとか、いったようないくつかの方法によって行うことができる。いくつかの要因が、含浸度合いを決定する。そのような要因には、架橋可能組成物（１４）の粘度、多孔質材料（６）のポアのサイズ、印加される正圧および負圧ならびに圧力源の組合せ、および、圧力を印加する時間の長さ、がある。本発明を実施する際にこれら要因を考慮することにより、含浸度合いを正確に制御することができ、また、多孔質材料（６）の特定の所望領域における架橋可能組成物（１４）の配置を正確に制御することができる。
【誤訳訂正１１】
【訂正対象書類名】明細書
【訂正対象項目名】００２４
【訂正方法】変更
【訂正の内容】
【００２４】
架橋可能組成物（１４）がキャビティ（１６）内に配置されていて、マンドレル（２）の管腔に対して加圧ガスが供給される場合には、加圧ガスは、マンドレル（２）の貫通穴（１２）を貫通して、架橋可能組成物（１４）に対して接触する。これにより、多孔質材料（６）の内面（２２）と外面（２４）との間に圧力差が発生する。本発明の目的のためには、第１面における第１圧力（Ｐ1）と第２面における第２圧力（Ｐ2 ）との間に圧力差が存在し、第１圧力（Ｐ1 ）の方が第２圧力（Ｐ2）よりも大きい。本発明においては、圧力差は、多孔質材料（６）のうちの含浸されるべき表面に対して、例えば不活性ガスといったような非反応性ガスの印加によってまたは真空の印加によってまたはこれらの組合せによって、もたらされる。本発明のこの見地においては、圧力差は、内面（２２）上における圧力が外面（２４）上における雰囲気圧力よりも大きいようなものとされる。このような圧力差により、架橋可能組成物（１４）が、多孔質材料（６）のポア内へと含浸することとなる。
【誤訳訂正１２】
【訂正対象書類名】明細書
【訂正対象項目名】００２８
【訂正方法】変更
【訂正の内容】
【００２８】
本発明の他の見地においては、真空吸引を使用することによって圧力差をもたらし、これにより、架橋可能組成物（１４）を、内面（２２）上において、多孔質材料（６）のポア内へと含浸させる。多孔質材料（６）とマンドレル（２）とスペーサ（４ａ，４ｂ）と架橋可能組成物（１４）とは、上述と同様に配置される。このアセンブリは、図５〜図７に示すような、実質的に長尺の円筒形状チャンバ（２６）内に配置される。上述の場合と同様に、スペーサ（４ａ，４ｂ）とマンドレル（２）とは、チャンバ（２６）の中央開口（２６ａ，２６ｂ）のところにおいておよびスペーサ（４ａ，４ｂ）上の中央開口（２８ａ，２８ｂ）のところにおいて液密シールかつ気密シールが得られているようにして、配置される。加えて、マンドレル（２）の開口端（８）は、シールされる。その結果、システム内への流体導入は、チャンバ（２６）の開口（３０）においてのみ可能となっている。
【誤訳訂正１３】
【訂正対象書類名】明細書
【訂正対象項目名】００３０
【訂正方法】変更
【訂正の内容】
【００３０】
例えば真空ポンプといったような真空発生源が、開口（３０）に対して接続され、真空吸引される。これにより、外面（２４）における圧力が内面（２２）における圧力よりも小さいようにして、多孔質材料（６）の内面（２２）と外面（２４）との間にわたって圧力差が発生する。この圧力差に基づき、架橋可能組成物（１４）が、内面（２２）において、多孔質材料（６）のポア内へと吸引される。その後、上述と同様にして、架橋可能組成物（１４）が架橋され、ヒドロゲルを形成することができる。
【誤訳訂正１４】
【訂正対象書類名】明細書
【訂正対象項目名】００３１
【訂正方法】変更
【訂正の内容】
【００３１】
本発明の他の見地においては、多孔質材料（６）とマンドレル（２）とスペーサ（４ａ，４ｂ）と架橋可能組成物（１４）とは、上述と同様に、実質的に長尺の円筒形状チャンバ（２６）内に配置される。上述の場合と同様にして、システムに対して、真空と非反応性ガスとの組合せが適用される。この組合せにより、多孔質材料（６）のポア内への架橋可能組成物（１４）の含浸度合いと、多孔質材料（６）のポア内への架橋可能組成物（１４）の配置と、が正確に制御される。多孔質材料（６）のポア内へと架橋可能組成物（１４）が含浸された後には、上述と同様にして、架橋可能組成物（１４）が架橋され、ヒドロゲルを形成することができる。
【誤訳訂正１５】
【訂正対象書類名】明細書
【訂正対象項目名】００３２
【訂正方法】変更
【訂正の内容】
【００３２】
本発明のさらに他の見地においては、架橋可能組成物（１４）は、多孔質材料（６）の外面（２４）へと導入され、多孔質材料（６）のポア内へと含浸される。このような含浸は、限定するものではないが、非反応性ガスを使用して正圧をもたらすとか、真空吸引を使用して負圧をもたらすとか、あるいは、これらを組み合わせるとか、いったようないくつかの方法によって行うことができる。圧力の印加時間の長さや、印加する圧力の組合せや、圧力差をもたらすための方法の組合せ、を選択することにより、多孔質材料（６）に対しての架橋可能組成物（１４）の含浸速度および含浸度合いを、非常に正確に制御することができる。これらの方法によれば、多孔質材料（６）の特定の所望領域に対しての架橋可能組成物（１４）の配置も、また、非常に正確に制御することができる。
【誤訳訂正１６】
【訂正対象書類名】明細書
【訂正対象項目名】００３３
【訂正方法】変更
【訂正の内容】
【００３３】
本発明のある見地においては、マンドレル（２）と多孔質材料（６）とスペーサ（４ａ，４ｂ）とが、図１〜図４の場合と同様に、配置される。これに代えて、多孔質材料（６）は、マンドレル（２）の外面（２０）に対して接触させることができ、この場合には、スペーサ（４ａ，４ｂ）は不要である。架橋可能組成物は、図２および図４において、多孔質材料（６）の外面（２４）上に配置される。マンドレル（２）の開口端部（８）に対して真空吸引源を接続することによって、システムに対して真空が印加される。これにより、内面（２２）上における圧力が外面（２４）上における圧力よりも小さいようにして、多孔質材料（６）の内面（２２）と外面（２４）との間にわたって圧力差が形成される。その結果、架橋可能組成物（１４）が、多孔質材料（６）の外面（２４）において、多孔質材料（６）のポア内へと吸引される。その後、上述と同様にして、架橋可能組成物（１４）が架橋され、ヒドロゲルを形成することができる。
【誤訳訂正１７】
【訂正対象書類名】明細書
【訂正対象項目名】００３５
【訂正方法】変更
【訂正の内容】
【００３５】
本発明の他の見地においては、多孔質材料（６）とマンドレル（２）とスペーサ（４ａ，４ｂ）と架橋可能組成物（１４）とが、図６および図７の場合と同様に、実質的に長尺の円筒形状チャンバ（２６）内に配置される。多孔質材料（６）は、マンドレル（２）の外面（２０）に対して接触させることができ、この場合には、スペーサ（４ａ，４ｂ）は不要である。上述の場合と同様にして、システムに対して、真空と非反応性ガスとの組合せが適用される。この組合せにより、多孔質材料（６）のポア内への架橋可能組成物（１４）の含浸度合いと、多孔質材料（６）のポア内への架橋可能組成物（１４）の配置と、が正確に制御される。多孔質材料（６）のポア内へと架橋可能組成物（１４）が含浸された後には、上述と同様にして、架橋可能組成物（１４）が架橋され、ヒドロゲルを形成することができる。
【誤訳訂正１８】
【訂正対象書類名】明細書
【訂正対象項目名】００３６
【訂正方法】変更
【訂正の内容】
【００３６】
本発明のさらに他の見地においては、多孔質材料（６）の内面（２２）に、架橋可能組成物（１４）を適用することができ、多孔質材料（６）の外面（２４）に、追加の組成物とを適用することができる。多孔質材料（６）とマンドレル（２）とスペーサ（４ａ，４ｂ）とは、図５〜図７の場合と同様に、実質的に長尺の円筒形状チャンバ（２６）内に配置される。架橋可能組成物（１４）と追加の組成物とは、互いに同じものともあるいは互いに相違するものともすることができる。多孔質材料（６）は、マンドレル（２）の外面（２０）に対して接触させることができ、この場合には、スペーサ（４ａ，４ｂ）は不要である。その後、複数の非反応性ガスの組合せ、あるいは、複数の真空の組合せ、あるいは、非反応性ガスと真空との組合せを、上記構成における、チャンバ（２６）の開口（３０）に対しておよび／またはマンドレル（２）の開口端部（８）に対して、適用することができる。この場合には、多孔質材料（６）の内面（２２）と外面（２４）との間には、それぞれの圧力差がもたらされる。これにより、内面（２２）に対して架橋可能組成物（１４）が含浸され、外面（２４）に対して追加の組成物が含浸される。圧力を制御することによりまたガスおよび真空の印加時間の長さを制御することにより、双方の組成物の含浸速度および含浸度合いを制御することができるとともに、多孔質材料（６）のポア内への、架橋可能組成物（１４）および追加組成物の配置を制御することができる。多孔質材料（６）のポア内へと架橋可能組成物（１４）および追加組成物が含浸された後には、上述と同様にして、一方または双方の組成物が架橋され、ヒドロゲルを形成することができる。これに代えて、架橋可能組成物（１４）および追加組成物は、これら両組成物が互いに反応を起こすことにより架橋可能組成物（１４）および追加組成物の一方または双方が架橋を起こすものとされている、ようなものとすることができる。
【誤訳訂正１９】
【訂正対象書類名】明細書
【訂正対象項目名】００４１
【訂正方法】変更
【訂正の内容】
【００４１】
したがって、本発明による方法において使用される架橋可能組成物は、望ましくは、ポリマー組成物または非ポリマー組成物とされ、限定するものではないが、ニートな液体やエマルジョンや液体ポリマーまたは液体コポリマーや固体相をなすポリマーまたはコポリマーとすることができる。本発明において適切な架橋可能ポリマー組成物、ならびに、架橋を行うための手段は、Hubbell氏他による米国特許明細書第５，４１０，０１６号、Hubbell氏他による米国特許明細書第５，５２９，９１４号、および、Loomis氏による米国特許明細書第５，８５４，３８２号の場合と同様である。これらの文献は、参考のためここに組み込まれる。本発明においては、また、例えばフリーイソシアネートやウレタンといったような架橋可能ポリマー基を有することができる。